(57)【要約】  少なくとも三つの車輪を備える傾斜モータサイクル（４）は、前方キャリッジフレーム（８）と、ローリング運動学的機構（１６）によって互いにおよび前記前方キャリッジフレーム（８）に運動学的に連結された一対の前輪（１２、１４）と、光線（Ｆ）を照射するのに適した少なくとも一つの前照灯（２０）と、前記ローリング運動学的機構（１６）の回転角度を測定するのに適しており、前記回転角度は、前記一対の前輪（１２、１４）のローリング角度に対応する、測定手段（４０）と、前記少なくとも一つの前照灯（２０）によって生成された前記光線（Ｆ）の方向および／または形状を調整する手段（８８）であって、前記測定手段（４０）によって測定された回転の値に基づいて前記光線（Ｆ）の前記方向および／または形状を変更するために前記測定手段（４０）に動作可能に接続されている、前記光線（Ｆ）の方向および／または形状を調整する手段（８８）とを備える。【選択図】図１
2021506649.tif 000002
【特許請求の範囲】
【請求項１】
少なくとも三つの車輪を備える傾斜モータサイクル（４）であって、
前方キャリッジフレーム（８）と、
ローリング運動学的機構（１６）によって互いにおよび前記前方キャリッジフレーム（８）に運動学的に連結された一対の前輪（１２、１４）と、
操舵およびローリング運動時に前記フレームに対して固定されている、光線（Ｆ）を照射するのに適した少なくとも一つの前照灯（２０）と、
前記ローリング運動学的機構（１６）の回転角度を測定するのに適しており、前記回転角度は、前記一対の前輪（１２、１４）のローリング角度に対応する、測定手段（４０）と、
前記少なくとも一つの前照灯（２０）によって生成された前記光線（Ｆ）の方向および／または形状を調整する手段（８８）であって、前記測定手段（４０）によって測定された回転の値に基づいて前記光線（Ｆ）の前記方向および／または形状を変更するために前記測定手段（４０）に動作可能に接続されている、前記光線（Ｆ）の方向および／または形状を調整する手段（８８）とを備える、少なくとも三つの車輪を備える傾斜モータサイクル（４）。
【請求項２】
前記ローリング運動学的機構（１６）は、二つの上側横断部品（２４）および下側横断部品（２８）、並びに前記横断部品（２４、２８）にヒンジ連結された二つの側方垂直材（３２、３６）を備える関節接合された四辺形構造であり、前記前輪（１２、１４）のローリングおよび操舵を可能にする、請求項１に記載の傾斜モータサイクル（４）。
【請求項３】
前記回転角度は、
上側横断部品（２４）若しくは下側横断部品（２８）または側方垂直材（３２、３６）と、前記前方キャリッジフレーム（８）の固定部材、
上側横断部品（２４）または下側横断部品（２８）と、側方垂直材（３２、３６）、
前記一対の前輪（１２、１４）、または
それらの組み合わせ、
の間で測定された相対角度である、請求項２に記載の傾斜モータサイクル（４）。
【請求項４】
前記下側横断部品（２８）または前記上側横断部品（２４）の少なくとも一つは、ディスク部（４４）と一体的に結合され、前記測定装置（４０）は、前記前方キャリッジフレーム（８）の固定点に対する前記ディスク部（４４）の印（５２）の回転角度を測定する回転センサ（４８）を備える、請求項２または請求項３に記載の傾斜モータサイクル（４）。
【請求項５】
前記前方キャリッジフレーム（８）の前記固定点は、中心線に沿って前記上側横断部品（２４）または前記下側横断部品（２８）を回転自在に支持する中心垂直材（５６）である、請求項４に記載の傾斜モータサイクル（４）。
【請求項６】
前記ディスク部（４４）は、前記関節接合された四辺形の回転を妨げるように選択的に動作可能である、ブロック手段（６０）と結合されている、請求項４または請求項５に記載の傾斜モータサイクル（４）。
【請求項７】
前記測定手段（４０）は、上側横断部品（２４）または下側横断部品（２８）と垂直材（３２、３６）との間の相対的回転を測定する回転センサ（４８）を備える、請求項２から請求項６のいずれか一項に記載の傾斜モータサイクル（４）。
【請求項８】
前記回転センサ（４８）は、前記上側横断部品（２４）または前記下側横断部品（２８）と前記垂直材（３２、３６）を連結する側方ローリングヒンジ（６４）に配置されている、請求項７に記載の傾斜モータサイクル（４）。
【請求項９】
前記測定手段（４０）は、前記一対の前輪（１２、１４）の間の回転を測定する回転センサ（４８）を備える、請求項１から請求項８のいずれか一項に記載の傾斜モータサイクル（４）。
【請求項１０】
前記モータサイクルは、ハンドルバー（７６）に連結された、中心ロッド（７２）を備える操舵装置（６８）、およびそれぞれ対応する前輪（１２、１４）に連結されている一対の伝達装置（７８、８０）を備え、前記回転センサ（４８）は、前記前輪（１２、１４）の前記伝達装置（７８、８０）の回転を測定する、請求項９に記載の傾斜モータサイクル（４）。
【請求項１１】
前記中心ロッド（７２）は、中心ローリングヒンジ（６４）によって前記ハンドルバー（７６）に連結され、前記測定手段（４０）は、前記中心ローリングヒンジ（６４）を中心とする前記中心ロッド（７２）の回転を測定する、請求項１０に記載の傾斜モータサイクル（４）。
【請求項１２】
前記光線（Ｆ）の方向および／または形状を調整する前記手段（８８）は、生成された前記光線（Ｆ）の向きを変えるのに適した少なくとも一つの可動部材（９２）を備え、特に前記可動部材（９２）は、
前記光線（Ｆ）の反射部材、
前記光線（Ｆ）に対して少なくとも部分的に不透明な部材、
の中から選択される、請求項１から請求項１１のいずれか一項に記載の傾斜モータサイクル（４）。
【請求項１３】
前記光線（Ｆ）の方向および／または形状を調整する前記手段（８８）は、前記測定手段（４０）によって測定された回転値に基づいて、前記少なくとも一つの前照灯（２０）の光源の点灯／消灯を制御するように構成されている、請求項１から請求項１２のいずれか一項に記載の傾斜モータサイクル（４）。
【請求項１４】
前記光線（Ｆ）の方向および／または形状を調整する前記手段（８８）は、前記測定手段（４０）によって測定された傾斜値に基づいて、前記少なくとも一つの前照灯（２０）の光源の光強度を調整するように構成されている、請求項１から請求項１３のいずれか一項に記載の傾斜モータサイクル（４）。
【請求項１５】
前記光源は、前記前照灯（２０）の前方の異なる領域を照らすように構成されている、請求項１３または請求項１４に記載の傾斜モータサイクル（４）。
【発明の詳細な説明】
【技術分野】
【０００１】
本発明は、一対の傾斜前輪を備え、ローリング角度によって前照灯により照射されている光線を調整するオートバイ（モータサイクル）に関する。
【背景技術】
【０００２】
周知のように、モータサイクルは、コーナリング時に加え、曲がるときまたは向きを変える（ヨーイング）とき、無視できないほど、自動車より確実に巨視的に大きく傾斜（チルトまたはロール）する。
【０００３】
コーナリング時に向きを変え、ロールで傾いている間、前照灯または前灯は、固定式または調整できない種類の場合、進行方向に広がる道を効果的に照らすことができない。
【０００４】
また、この問題は、自動車分野で非常に多く経験される。前照灯は、ヨーイング（ロールではない。ロールは十分に無視できる）に応じて、車両が走行する軌跡のできる限り近くを追従するように生成された光線を適切に向け、進行方向に広がる道を効果的に照らすように、使用される。自動車分野では、光線の方向は、ステアリング角度によって調整され、なんらかのドリフトがなければ、車両によって効果的に走行される曲率半径の正しい指示を常に提供する。
【０００５】
モータサイクルの場合、当該現象は、さらに複雑である。実質的に、ヨーイングに加えて、車両は、５度およびそれ以上のオーダーであっても決して無視できない角度でロールする傾向がある。さらに、モータサイクルは、実質的にローリングすることなく向きを変えることができ、基本的には低速での操作のとき、ハンドルバーの巨視的回転を用いて運転する。他の場合では、車両が、単純に、傾斜することで、タイヤケーシングの形状によって与えられる低曲率の軌跡に沿って走行するため、ステアリングハンドルバーを使用することなく、車両はまた、ロールし、運転することができる。
【０００６】
少なくとも三つの車輪を設けられ、そのうちの二輪が前方キャリッジでの操舵輪である、傾斜モータサイクルは、二輪のモータサイクルと自動車との中間位置にある。
【０００７】
今まで、カーブでの光線の方向の問題は、自動車分野とモータサイクル分野の両方で、上述されているように対処されてきた。
【０００８】
具体的には、自動車分野では、ステアリング回転センサが使用される。一方、モータサイクル分野では、ハンドルバーの回転は、明らかなように、重要ではなく、車両の実際の傾斜を特定するために使用される加速度計またはオシロスコープが知られている。これは、明らかなように、必ずしもハンドルバーの回転に関連しているわけではない。
【０００９】
これらの解決策は、いかに効果的であったとしても、欠点がないわけではない。
【００１０】
実際、これらは、モータサイクルが運転ダイナミクスの平衡状態、傾斜および他のパラメータを変更し得る速度を考慮して、正確で高速かつ信頼性がなければならない特定の目的のためのセンサを追加する必要があるため、費用が高い解決策である。
【発明の概要】
【００１１】
したがって、従来技術に関して挙げられている欠点および制限を解決する必要性が感じられる。
【００１２】
そのような要求は、請求項１に記載されたモータサイクルによって満たされる。
【図面の簡単な説明】
【００１３】
本発明のさらなる特徴および利点は、その実施形態の好ましい非限定的な例の以下の記載からより明らかになる。
【００１４】
【図１】図１は、本発明の実施形態による傾斜モータサイクルの前方キャリッジの斜視図である。
【図２】図２は、前輪が地面に垂直な形態での、図１のモータサイクルの正面図を示す。
【図３】図３は、前輪が地面に対して傾斜した形態での、図１のモータサイクルの正面図を示す。
【図４】図４は、本発明の実施形態によるモータサイクルの前照灯の拡大概略図である。
【００１５】
以下で記載されている実施形態間に共通の要素または要素の一部は、同じ符号で示されている。
【発明を実施するための形態】
【００１６】
上述の図面を参照して、本発明による傾斜モータサイクルの共同の概略図は、まとめて４で示されている。
【００１７】
本発明において、用語「傾斜モータサイクル」は、広い意味で考えられるものであることを留意すべきであり、少なくとも二つの前方操舵輪および少なくとも一つの後輪を備える少なくとも三つの車輪を有するモータサイクルのあらゆる種類またはアーキテクチャを含む。
【００１８】
したがって、そのような定義は、例えば、前方キャリッジに対となる二つの操舵輪、後車軸に一つの駆動輪を備える、三輪を有するモータサイクルだけでなく、前車軸に二つの操舵輪および後車軸に二つの傾斜輪を備える、いわゆる四輪車の両方を含む。
【００１９】
少なくとも三つの車輪を備える傾斜モータサイクル４は、前方キャリッジフレーム８、互いにおよび前方キャリッジフレーム８にローリング運動学的機構１６によって運動学的に連結された一対の前輪１２、１４、および光線を照射するのに適した少なくとも一つの前照灯２０を備える。
【００２０】
具体的には、前照灯２０は、前方キャリッジフレーム８に固定して連結されている。つまり、操舵およびローリング運動に追従することでフレームに対する固定位置を有する。したがって、車両の操舵／ローリング運動の間、前照灯２０は、フレームに対して同じ位置を維持する（図２および図３参照）。
【００２１】
一実施形態によると、運動学的ローリング機構１６は、二つの横断部品（上側横断部品２４と下側横断部品２８）、および横断部品２４、２８とヒンジ連結された二つの各側方垂直材３２、３６を備える、関節接合された四辺形構造である。ローリング運動学的機構１６により、前輪１２、１４はロールし、操舵され得る。
【００２２】
傾斜モータサイクル４は、ローリング運動学的機構１６の回転の角度を測定するのに適した測定手段４０をさらに備える。回転の角度は、一対の前輪１２、１４のローリング角度に対応し、すなわち、前輪１２、１４が地面に対してとっている傾斜の角度に対応する。
【００２３】
つまり、測定手段４０は、ローリング運動学的機構１６の回転の角度、すなわち、同じ運動学的機構によって、一対の前輪１２、１４のローリング角に一意に連結されている、関節接合された四辺形の回転の角度、を測定するのに適している。
【００２４】
前輪のローリング角を測定するための、様々な解決策が以下に記載されている。異なる解決策が可能であると考えられ、それでも本発明の発明思想内に含まれる。
【００２５】
例えば、一実施形態において、回転の角度は、関節接合された四辺形２４、２８、３２、３６で測定された相対的な角度である。具体的には、以下の
・上側横断部品２４若しくは下側横断部品２８または側方垂直材３２、３６と前方キャリッジフレーム８の固定部材
・上側横断部品２４または下側横断部品２８と側方垂直材３２、３６
・一対の前輪１２、１４
・またはこれらの組み合わせ
の中から選択された関節接合された四辺形の少なくとも二つの部材間で測定される。
【００２６】
想定される実施形態によると、上側横断部品２４または下側横断部品２８の少なくとも一つは、ディスク部４４と一体的に結合されている。
【００２７】
この場合、測定手段４０は、前方キャリッジフレーム８の固定点に対するディスク部４４の印５２の回転の角度を測定する回転センサ４８を備える。
【００２８】
より具体的には、前方キャリッジフレーム８の固定点は、例えば、中心線に沿って上側横断部品２４または下側横断部品２８を回転自在に支持する中央垂直材５６である。
【００２９】
一実施形態によると、ディスク部４４は、関節接合された四辺形の回転を選択的に動作可能に妨げるブロック手段６０とさらに結合されている。このようにして、ローリングを妨げる構成と自由な構成との間でブロック手段６０を作動させることができる。
【００３０】
さらなる実施形態によると、測定手段４０は、上側横断部品２４または下側横断部品２８と側方垂直材３２、３６との間の相対的回転を測定する回転センサ４８を備える。
【００３１】
また、回転センサ４８を、上側横断部品２４または下側横断部品２８と側方垂直材３２、３６を連結する側方ローリングヒンジ６４に配置することも可能である。
【００３２】
さらなる実施形態によると、測定手段４０は、対となる前輪１２、１４の間の相対的回転を測定する回転センサ４８を備える。より具体的には、モータサイクルは、ハンドルバー７６に連結されている、中心ロッド７２を備えられた操舵装置６８、およびそれぞれ対応する前輪１２、１４に連結されている一対の伝達装置７８、８０を備える。回転センサ４８は、前輪１２、１４の伝達装置７８、８０の回転を測定する。
【００３３】
中心ロッド７２は中心ローリングヒンジ８４によってハンドルバー７６に連結されてもよい。測定手段４０は、中心ローリングヒンジ８４を中心とする中心ロッド７２の回転を測定する。
【００３４】
傾斜モータサイクル４は、測定手段４０によって測定された回転の値に基づいて光線Ｆの方向および／または形状を変更するために測定手段４０に動作可能なように接続されている、少なくとも一つの前照灯２０によって生成された光線Ｆの方向および／または形状を調整する手段８８をさらに備える。すなわち、調整手段は、光線Ｆに影響を与え、フレームに対する前照灯の相対位置には影響を与えない。実際、本発明によると、前照灯２０の位置は、固定されたままである。
【００３５】
想定される実施形態によると、光線の方向および／または形状を調整する手段８８は、生成された光線Ｆを適切な方向に向けるのに適した少なくとも一つの可動部材９２を備える。すなわち、第１の実施形態において、可動部材９２はシャッタのような形状を有し、光源を部分的に暗くして対応する光線を発生させる。また、シャッタの位置と形状に応じて光が暗くなり、異なる方向及び/または形状の光線を発生させる。
【００３６】
一変形実施形態において、部材９２は、所望の領域に向けられた反射光線を発生させるように光線源を反射することができる可動反射部材である。具体的には、可動部材９２は、
・光線Ｆの反射部材
・光線Ｆに対して少なくとも部分的に不透明な部材
の中から選択される。
【００３７】
いずれにしても、可動部材が光線Ｆを少なくとも部分的に反射または遮断すると、得られる効果は、光線Ｆの方向および／または形状を修正することだろう。
【００３８】
さらなる想定される実施形態によると、光線Ｆの方向および／または形状を調整する手段８８は、測定手段４０によって測定された回転値に基づいて、少なくとも一つの前照灯２０の光源を点灯または消灯するように構成されている。すなわち、前照灯２０は、測定手段４０によって得られた回転値によって、光線Ｆの方向および／または形状を調整する手段８８を通じてＬＥＤの全てまたはいくつかのみを明るくするように独立してスイッチをオン、オフできる複数の光源２２、例えば、マトリクス状の発光ダイオード（ＬＥＤ）、を備えてもよい。
【００３９】
光源２２は典型的には、前照灯２０の前方の異なる領域を照らすことができるように形成されている。したがって、分化して光源のスイッチを入れると、まとめて照射される光線Ｆの形状および方向だけでなく、全体的な光出力を自在に修正することができる。
【００４０】
また、そのような光源２２を、例えば、光線Ｆの方向および／または形状を調整する手段８８に機械的に連結して、可動なように設けることも可能である。それによって、照射されている光線Ｆの形状を回転および／または変更するように回転および／または移動することができる。
【００４１】
さらなる実施形態によると、光線Ｆの方向および／または形状を調整する手段８８は、測定手段４０によって測定された傾斜／回転値に基づいて、少なくとも一つの前照灯２０の光源の光強度を調整するように構成されている。このようにして、測定された角度に基づいて、したがってモータサイクル４のロールに基づいて、例えば、いくつかの照らされている領域の明るさを向上させ、他の照らされている領域の明るさを低下させることができる。
【００４２】
上記したものから理解できるように、本発明は、従来技術の欠点を克服している。
【００４３】
具体的には、関節接合された四辺形の前方キャリッジの物理的なパラメータの測定に起因して、モータサイクルの実際のローリング角度を極めて高い精度で知ることができる。これは、明らかに、モータサイクルの灯火のビームの調整に最も重要なパラメータである。
【００４４】
そのような測定は、正確で、反復的で、かつ信頼性があり、モータサイクルに高価なセンサを追加する必要が無い。
【００４５】
このようにして、光線は、車両の実際の運転状態に応じて方向および強度に関して確実かつ経済的に構成され得る。
【００４６】
したがって、本発明は、特に夜間の運転中の、視認性を向上し、安全性に関する現行の規則を順守している。
【００４７】
当業者は、偶発的かつ特定の要求を満たす目的で、上記されているモータサイクルに多くの改良および変更をすることができるが、これらの全ては、添付の特許請求の範囲によって定められる発明の範囲内に含まれる。
【図１】
2021506649.tif 000003
【図２】
2021506649.tif 000004
【図３】
2021506649.tif 000005
【図４】
2021506649.tif 000006
【国際調査報告】
2021506649.tif 000007
2021506649.tif 000008
2021506649.tif 000009